(57)【要約】    【課題】カードコントローラのカードへのアクセス中又はアクセス終了を正確に検知することができる電子機器装置を提供することにある。    【解決手段】 電子機器１００は、カード１０９を読み書きすべくカードコントローラ１０５と、カードコントローラ１０５に電源を供給するカード電源部１０４と、カードコントローラ１０５がカード１０９にアクセスしていることを点灯により表示するＬＥＤ１０６と、制御部１０１とを備える。制御部１０１は、カード１０９へのアクセス中を示すＬＥＤ１０６の点灯を指示するＬＥＤ点灯指示信号１１２を監視し、カードコントローラ１０５がカード１０９へのアクセス中又はアクセス終了を正確に検知し、カード１０９へのアクセスがされていないときには、カードコントローラへの電源供給を切断する。【選択図】      図２
2006313488.tif 000002
【特許請求の範囲】
【請求項１】
外部記憶装置にアクセスするアクセス手段と、前記アクセス手段を制御する制御手段とを備え、前記制御手段は、前記アクセス手段が前記外部記憶装置にアクセス中であることを表示手段に表示させる表示指示信号を送出する送出手段と、前記表示指示信号の有無を監視する監視手段とを備えることを特徴とする電子機器装置。
【請求項２】
前記アクセス手段に電源を供給する電源部を備え、前記制御手段は、さらに、前記監視された表示指示信号の有無の結果に基づいて、前記電源部による前記アクセス手段への電源の供給及び切断を制御する電源制御手段とを備えることを特徴とする請求項１記載の電子機器装置。
【請求項３】
前記電子機器装置は複数種の動作モードを有し、前記電源制御手段は、前記前記監視された表示指示信号の有無の結果、及び前記動作モードの種類に応じて、前記電源部による前記アクセス手段への電源の供給及び切断を制御することを特徴とする請求項２記載の電子機器装置。
【請求項４】
入力端が前記アクセス手段に接続され、一方の出力端が前記制御手段に接続されると共に他方の出力端が外部のコンピュータと接続された切り替えスイッチを備え、前記制御手段は、前記前記監視された表示指示信号の有無の結果、及び前記動作モードの種類に応じて、前記切り替えスイッチの切り替えを制御することを特徴とする請求項２又は３のいずれか１項に記載の電子機器装置。
【発明の詳細な説明】
【技術分野】
【０００１】
本発明は、電子機器装置に関し、特に、ＣＦ（CompactFlash）カードやＳＤ（Secure Digital）カード等の外部記憶装置の電源制御及び通信制御を行うカードコントローラを含む複数のデバイスに接続可能なモバイル系の電子機器装置に関する。
【背景技術】
【０００２】
従来、ＣＦカードやＳＤカード等のカードを扱う電子機器において、カードへのアクセス中にユーザによるカードの抜取りや、ユーザによる電源切断といった動作を防ぐために、カードへのアクセス中であることをユーザに通知する目的で表示ランプ、例えばＬＥＤを点灯させている。
【０００３】
一方、ディスク装置の制御システムにおいて、ディスク装置の動作及び非動作をユーザに正常に提示することを目的として、コマンド受付によって表示ランプ、例えばＬＥＤの点灯を開始し、コマンド終了によってある一定期間ＬＥＤの点灯を維持するといった発明がなされている（例えば、特許文献１参照）。
【０００４】
また、カードコントローラを含む複数のデバイスに接続可能なモバイル系の電子機器において、省電力のためにカードへのアクセスがされていない時には、カードコントローラへの電源供給を切断することが効果的である。このため、カードコントローラの電源を切断するためには、カードへのアクセス中又はアクセス終了を正確に検知することが必須条件であるが、カードコントローラがＵＳＢで接続されるＵＳＢデバイスとしての構成をとった場合には、ホスト機器とのデータの取り扱いの違いから、アクセス中又はアクセス終了を検知するのが容易ではなく、そのためにカードコントローラとの通信自体をモニターする処理をしていた。
【特許文献１】特許第３１６０４１７号公報
【発明の開示】
【発明が解決しようとする課題】
【０００５】
しかしながら、カードコントローラのカードへのアクセス中又はアクセス終了を正確に検知するためにカードコントローラとの通信自体をモニターする場合、それ専用に新たな通信手段、例えばＵＳＢの場合はトランシーバ等を付加する必要があり、改善の余地があった。
【０００６】
本発明の目的は、カードコントローラのカードへのアクセス中又はアクセス終了を正確に検知することができる電子機器装置を提供することにある。
【課題を解決するための手段】
【０００７】
上記の目的を達成するために、請求項１記載の電子機器装置は、外部記憶装置にアクセスするアクセス手段と、前記アクセス手段を制御する制御手段とを備え、前記制御手段は、前記アクセス手段が前記外部記憶装置にアクセス中であることを表示手段に表示させる表示指示信号を送出する送出手段と、前記表示指示信号の有無を監視する監視手段とを備えることを特徴とする。
【発明の効果】
【０００８】
本発明によれば、アクセス手段が外部記憶装置にアクセス中であることを表示手段に表示させる表示指示信号の有無を監視するので、アクセス手段の外部記憶装置へのアクセス中又はアクセス終了を正確に検知することができ、もって外部記憶装置へのアクセスがされていないときに、省電力のためにアクセス手段へ電源供給を容易に切断することができる。
【発明を実施するための最良の形態】
【０００９】
以下、本発明の実施の形態を図面を参照しながら詳述する。
【００１０】
図１は、本発明の実施の形態に係る電子機器装置の構成を概略的に示すブロック図である。
【００１１】
図１において、電子機器１００は、ＣＦ（CompactFlash）カードやＳＤ（Secure Digital）カード等のカード１０９（外部記憶装置）を読み書きすべくカード１０９に接続されたカードコントローラ１０５（アクセス手段）と、カードコントローラ１０５に電源を供給する、カード電源部１０４と、カードコントローラ１０５に接続された後述する図３のＬＥＤ１０６（表示手段）と、カードコントローラ１０５に接続され、外部デバイスとしてのデジタルカメラ１０８に接続されたＵＳＢハブ１０３と、一方の入力端がパーソナルコンピュータ（ＰＣ）１０７に接続されると共に、出力端がＵＳＢハブ１０３に接続された２入力／１出力の切り替えスイッチ１０２と、スイッチ１０２の他方の入力端及びＵＳＢハブ１０３に接続されると共に、プリンタエンジン１１３に接続された制御部１０１とを備える。カードコントローラ１０５は、ＵＳＢハブ１０３と接続されるデバイスの１つを構成する。
【００１２】
スイッチ１０２は、通信の接続及び切断処理を行う。ＵＳＢハブ１０３は、切り替えスイッチ１０２と各デバイスとの通信を中継する。ＬＥＤ１０６は、カードコントローラ１０５がカード１０９にアクセスしていることを点灯により表示するアクセス表示ランプとして機能する。
【００１３】
カードコントローラ１０５は、カードアクセス監視信号としてＬＥＤ点灯指示信号１１２を制御部１０１に出力し、制御部１０１は、ＬＥＤ点灯信号１１２によりＬＥＤ１０６を点灯させ（送出手段）、スイッチ切り替え信号１１０により切り替えスイッチ１０２を切り替え、電源供給／切断信号１１１の有無によりカード電源部１０４を制御して（監視手段）、カードコントローラ１０５への電源の供給及び切断処理を行う。
【００１４】
電子機器装置１００は、接続モードとして、大きく分けてＰＣモードと、ＰＤモードとの２つを有する。このＰＤモードは、カードダイレクトモードと、デジタルダイレクトモードとの２つを含む。
【００１５】
ＰＣモードは、切り替えスイッチ１０２がＰＣ１０７側に切り替えられて、電子機器装置１００がＰＣ１０７と接続されるモードである。
【００１６】
この場合、ＰＣ１０７はＵＳＢホストとして動作し、ＵＳＢハブ１０３を中継した後、ＵＳＢデバイスとしてのカードコントローラ１０５と通信を行う。また、制御部１０１ともＵＳＢデバイスの１つとして通信し、例えばＰＣ１０７から送られた画像ファイルを制御部１０１に接続されたプリンタエンジン１１３を介して出力することができる。
【００１７】
カードダイレクトモードは、切り替えスイッチ１０２が制御部１０１側に切り替えられて、カード１０９に保存されている画像ファイルを、直接、プリンタエンジン１１３を介して出力するモードである。この場合、制御部１０１は、それ自体がＵＳＢホストとして動作し、ＵＳＢハブ１０３を中継した後、ＵＳＢデバイスとしてのカードコントローラ１０５と通信を行う。また、カードコントローラ１０５がカード１０９から読み込んだ画像ファイルを制御部１０１に接続されたプリンタエンジン１１３を介して出力することができる。
【００１８】
デジタルカメラダイレクトモードは、カードダイレクトモードの場合と同様に、切り替えスイッチ１０２が制御部１０１側に切り替えられ、デジタルカメラ１０６に保存されている画像ファイルを、直接、プリンタエンジン１１３を介して出力するモードである。
【００１９】
この場合、制御部１０１は、それ自体がＵＳＢホストとして動作し、ＵＳＢハブ１０３を中継した後、ＵＳＢデバイスとしてのデジタルカメラ１０６と通信を行う。また、デジタルカメラ１０６から送られた画像ファイルを制御部１０１に接続されたプリンタエンジン１１３を介して出力することができる。このとき、カードコントローラ１０５とは一切通信を行なわないため、カード電源部１０４を切断し、カードコントローラ１０５に供給される電源を切断する。
【００２０】
各モードへの切り替えに係わる切り替えスイッチ１０２の制御と、カード電源部１０４の制御とを行うには、カードコントローラ１０５がカードアクセス中でないことが条件となり、カードアクセス中か否かの判別は、ＬＥＤ点灯指示信号１１２を監視することにより行う。
【００２１】
図３は、図１におけるＬＥＤ１０６の構成を概略的に示す回路図である。
【００２２】
図３において、ＬＥＤ１０６の一端には、ＰＮＰ型のデジタルトランジスタ３０１のエミッタが抵抗を介して接続されている。デジタルトランジスタ３０１は、コレクタに電圧ＶＣＣが印加されると共に、ベースにＬＥＤ点灯指示信号１１２が引加されている。ＬＥＤ１０６は、デジタルトランジスタ３０１のベースに印加されるＬＥＤ点灯指示信号１１２が「Ｌ」になると、電流が流れて点灯する。
【００２３】
本実施の形態においては、ＬＥＤ点灯指示信号１１２をサンプリングすることにより、ＬＥＤ点灯指示信号１１２の「Ｌ」を検出することにより、ＬＥＤ１０６の点灯、すなわちカードコントローラ１０５がアクセス中であることを判別する。この判別について、図４を用いて具体的に説明する。
【００２４】
図４は、図３におけるＬＥＤ点灯指示信号１１２のタイミングチャートである。
【００２５】
図４において、ＬＥＤ点灯指示信号が「Ｌ」の期間、ＬＥＤ１０６が点灯する。カードへのアクセスにより、ＬＥＤ点灯指示信号１１２が一度「Ｌ」になると最小で１００ｍｓの期間は「Ｌ」と予め設定しておき、サンプリング周期を同じく１００ｍｓとすることにより、ある一定期間、例えば２回以上のサンプリングでＬＥＤ点灯指示信号の「Ｌ」が検出できなければ、カードへのアクセス中ではないと判別することができる。
【００２６】
図２は、図１の電子機器装置によって実行されるカード電源制御処理の手順を示すフローチャートである。
【００２７】
図２において、まず、モード切り替え要求があると（ステップＳ２０１でＹＥＳ）、モード切り替え要求がＰＣモードであるか否かを判別する（ステップＳ２０２）。ＰＣモードであるときは、ＬＥＤ点灯指示信号１１２のサンプリングにより、カード１０９へのアクセス中でなくＬＥＤ点灯中でないときは（ステップＳ２０３でＮＯ）、カード電源部１０４への電源供給切断信号１１１をイネーブル（enable）として（ステップＳ２０４）、カード電源部１０４からカードコントローラ１０５に対して電源を供給する（ステップＳ２０５）。次いで、スイッチ切り替え信号１１０を用いて切り替えスイッチ１０２をＰＣ１０７側に切り替えて（ステップＳ２０６）、本処理を終了する。
【００２８】
ステップＳ２０２の判別の結果、モード切り替え要求がＰＣモードでなくＰＤモードのときは、モード切り替え要求がカードダイレクトモードであるか否かを判別する（ステップＳ２０７）。カードダイレクトモードであるときは、ＬＥＤ点灯指示信号１１２のサンプリングにより、カード１０９へのアクセス中でなくＬＥＤ点灯中でないときに（ステップＳ２０８でＮＯ）、カード電源部１０４への電源供給／切断信号１１１をイネーブル（enable）として（ステップＳ２０９）、カード電源部１０４からカードコントローラ１０５に対して電源を供給する（ステップＳ２１０）。次いで、スイッチ切り替え信号１１０を用いて切り替えスイッチ１０２を制御部１０１側に切り替えて（ステップＳ２１１）、本処理を終了する。
【００２９】
ステップＳ２０７の判別の結果、モード切り替え要求がカードダイレクトモードでなくデジタルカメラダイレクトモードのときには、ＬＥＤ点灯指示信号１１２のサンプリングにより、カード１０９へのアクセス中でなくＬＥＤ点灯中でないときに（ステップＳ２１２でＮＯ）、スイッチ切り替え信号１１０を用いて切り替えスイッチ１０２を制御部１０１側に切り替えて（ステップＳ２１３）、カード電源部１０４への電源供給／切断信号１１１をディスエーブル（disenable）として（ステップＳ２１４）、カード電源部１０４からカードコントローラ１０５に対して電源を切断して（ステップＳ２１０）、本処理を終了する。
【００３０】
図２の処理によれば、カード１０９へのアクセス中であることを示すＬＥＤ１０６の点灯を指示するＬＥＤ点灯指示信号１１２を監視するという容易な手段で、カードコントローラ１０５がカード１０９へのアクセス中又はアクセス終了を正確に検知することができ、よって、カードコントローラ１０５を含む複数のデバイスに接続可能なモバイル系の電子機器において、省電力のためにカード１０９へのアクセスがされていないときには、カードコントローラへの電源供給を容易に切断することができる。
【図面の簡単な説明】
【００３１】
【図１】本発明の実施の形態に係る電子機器装置の構成を概略的に示すブロック図である。
【図２】図１の電子機器装置によって実行されるカード電源制御処理の手順を示すフローチャートである。
【図３】図１におけるＬＥＤ１０６の構成を概略的に示す回路図である。
【図４】図３におけるＬＥＤ点灯指示信号１１２のタイミングチャートである。
【符号の説明】
【００３２】
１０１  制御部
１０２  切り替え手段
１０３  ＵＳＢハブ
１０４  カード電源部
１０５  カードコントローラ
１０６  ＬＥＤ
１０７  ＰＣ
１０８  デジタルカメラ
１０９  カード
１１０  スイッチ切り替え信号
１１１  電源供給／切断信号
１１２  ＬＥＤ点灯指示信号
１１３  プリンタエンジン
【図１】
2006313488.tif 000003
【図２】
2006313488.tif 000004
【図３】
2006313488.tif 000005
【図４】
2006313488.tif 000006